(57)【要約】      （修正有）【課題】景品把持部の把持力を調整することなく、多種類の景品をクレーン遊技装置の景品収納部内に吊り下げ配置する景品配置装置を提供する。【解決手段】景品収納部内に固定された外筒１２と、外筒の内側に嵌合されると共に、景品に接続された環状部を一方の端部に掛止できるように外筒１２から一方の端部が露出した位置から、当該内筒全体が外筒１２の内部に収まる位置まで、外筒１２を貫く軸に対して略平行に移動自在に配置された内筒１１と、内筒１１の他方の端部に、一方の端部が接続された伝達紐１３と、伝達紐１３の他方の端部に接続された錘２０とを備える。【選択図】図３
0003147529.tif 000002
【実用新案登録請求の範囲】
【請求項１】
景品収納部内の景品を前記景品収納部外へ排出するクレーン遊技装置に適用される景品配置装置であって、
前記景品収納部内に固定された外筒と、
前記外筒の内側に嵌合されると共に、前記景品に接続された環状部を一方の端部に掛止できるように前記外筒から前記一方の端部が露出した位置から、当該内筒全体が前記外筒の内部に収まる位置まで、前記外筒を貫く軸に対して略平行に移動自在に配置された内筒と、
前記内筒の他方の端部に、一方の端部が接続された伝達紐と、
前記伝達紐の他方の端部に接続された錘と、
を備える景品配置装置。
【請求項２】
前記錘は、
前記伝達紐の他方の端部に接続されると共に、前記景品収納部内に固定され前記伝達紐を誘導するガイド筒に、当該錘に接続された錘用環状部が掛止されることにより前記景品収納部内に吊り下げられた
ことを特徴とする請求項１項記載の景品配置装置。
【請求項３】
前記外筒は、
下部に、当該外筒を貫く軸に対して略平行に案内溝が設けられ、
前記内筒は、
下部に、前記案内溝に滑合するように案内片が設けられた
ことを特徴とする請求項１又は２記載の景品配置装置。
【請求項４】
前記外筒は、
下部に、当該外筒を貫く軸に対して略平行に案内溝が設けられ、
前記内筒の一方の端部側であり、かつ前記案内溝に滑合するように前記内筒の下部に接続されたガイド紐を、
更に備えたことを特徴とする請求項１又は２記載の景品配置装置。
【請求項５】
前記内筒の一方の端部に掛止する環状部と、この環状部と前記景品とを接続する接続部と、を有する景品保持部を、
更に備えたことを特徴とする請求項１〜４のうちいずれか１項記載の景品配置装置。
【請求項６】
前記接続部は、
Ｓ字フックを有し、前記Ｓ字フックが前記環状部及び前記景品を掛止することにより前記環状部と前記景品とを接続する
ことを特徴とする請求項５項記載の景品配置装置。
【請求項７】
前記接続部は、
面ファスナーを有し、前記面ファスナーが前記環状部及び前記景品を緊止することにより前記環状部と前記景品とを接続する
ことを特徴とする請求項５項記載の景品配置装置。
【考案の詳細な説明】
【技術分野】
【０００１】
本考案は、クレーン遊技装置内に景品を配置される景品配置装置に関する。
【背景技術】
【０００２】
昨今、ゲームセンター等の遊技施設には、例えば、特許文献１に記載されたようなクレーン遊技装置が設置されることが多い。
【０００３】
このような一般的なクレーン遊技装置は、三方を透明板で囲まれた景品収納部と、この景品収納部内に設けられた景品把持部と、この景品把持部を景品収納部内で所望位置に移動させるクレーン駆動機構と、景品収納部内に開口した景品排出口とを備えている。
【０００４】
この一般的なクレーン遊技装置において、利用者は、操作部の操作釦を操作することにより、景品収納部内底面のフロアパネル上に配置された景品に対してクレーン駆動機構を動作させて景品把持部が目標とする景品の真上に到着したと思われるとき操作釦の操作を停止させる。
【０００５】
その後、景品把持部は自動的に降下し、ケース底部に到着し、景品把持部が閉じて降下位置の景品を把持すると景品獲得成功となる。
【０００６】
景品獲得後、景品把持部は景品を把持したまま上昇して景品排出口の上方に移動した後、景品把持部を開いて景品を景品排出口へ落とし、この景品排出口に連通された景品受取口から景品が払い出される。
【０００７】
また、景品を景品収納部内底面のフロアパネル上に配置することなく、景品に取り付けられたリング等を係止体等に掛止することにより、景品を景品収納部内に吊り下げ、この吊り下げられた景品を獲得する遊技装置が提案されている。
【０００８】
例えば、特許文献２には、回転板の軸線と直交する方向に軸線を有するピンを回転板の外周面に立設すると共に、景品に紐の一端を係止し、ピンに紐の環状部を引っ掛けて、景品を吊り下げた状態で展示する景品払い出し機構が記載されている。
【０００９】
また、特許文献３には、係止体が外周面に取り付けられ、垂直中心線を回転軸として回転するリング体を有し、この係止体に環付きホルダをぶら下げられる対象物獲得ゲーム装置が記載されている。
【特許文献１】特開２０００−８４２３６号公報
【特許文献２】特開２００３−１５４１５６号公報
【特許文献３】特許第２７９２８４４号公報
【考案の開示】
【考案が解決しようとする課題】
【００１０】
しかしながら、特許文献１及び特許文献２に記載の技術では、クレーン遊技装置に適用することができないため、新たに装置を制作する必要があり、多額の制作費用が発生することとなる。
【００１１】
また、景品に取り付けられたリング等を係止体等に掛止することにより、景品を景品収納部内に吊り下げ、利用者の操作により景品把持部がリングを係止体から外すことにより、景品を獲得するクレーン遊技装置では、多種類の景品を景品収納部内に吊り下げることが困難であった。
【００１２】
一般的なクレーン遊技装置では、景品として玩具が内包された景品箱や人形等が用いられ、その種類により重量が異なる場合が多い。そのため、景品獲得ゲームの難易度を最適にするために、クレーン遊技装置を運営する運営者は、クレーン遊技装置に備えられた景品把持部の景品を把持する把持力を、景品の重量に応じた最適値に設定する必要がある。
【００１３】
そのため、クレーン遊技装置の景品収納部内に吊り下げる景品の種類を変更する度に、運営者は、景品把持部の把持力を景品の重量に応じて変更する必要があり、この変更作業が非常に煩わしかった。
【００１４】
また、クレーン遊技装置の景品収納部内に吊り下げる景品を全て同一の重量のものとする必要があった。
【００１５】
本考案は、上記課題に鑑みてなされたものであり、景品把持部の把持力を調整することなく、多種類の景品をクレーン遊技装置の景品収納部内に吊り下げ配置することができる景品配置装置を提供することを目的とする。
【課題を解決するための手段】
【００１６】
上記目的を達成するため、本考案に係る景品配置装置の第１の特徴は、景品収納部内の景品を前記景品収納部外へ排出するクレーン遊技装置に適用される景品配置装置であって、前記景品収納部内に固定された外筒と、前記外筒の内側に嵌合されると共に、前記景品に接続された環状部を一方の端部に掛止できるように前記外筒から前記一方の端部が露出した位置から、当該内筒全体が前記外筒の内部に収まる位置まで、前記外筒を貫く軸に対して略平行に移動自在に配置された内筒と、前記内筒の他方の端部に、一方の端部が接続された伝達紐と、前記伝達紐の他方の端部に接続された錘とを備えることにある。
【００１７】
上記目的を達成するため、本考案に係る景品配置装置の第２の特徴は、前記錘は、前記伝達紐の他方の端部に接続されると共に、前記景品収納部内に固定され前記伝達紐を誘導するガイド筒に、当該錘に接続された錘用環状部が掛止されることにより前記景品収納部内に吊り下げられたことにある。
【００１８】
上記目的を達成するため、本考案に係る景品配置装置の第３の特徴は、前記外筒は、下部に、当該外筒を貫く軸に対して略平行に案内溝が設けられ、前記内筒は、下部に、前記案内溝に滑合するように案内片が設けられたことにある。
【００１９】
上記目的を達成するため、本考案に係る景品配置装置の第４の特徴は、前記外筒は、下部に、当該外筒を貫く軸に対して略平行に案内溝が設けられ、前記内筒の一方の端部側であり、かつ前記案内溝に滑合するように前記内筒の下部に接続されたガイド紐を、更に備えたことにある。
【００２０】
上記目的を達成するため、本考案に係る景品配置装置の第５の特徴は、前記内筒の一方の端部に掛止する環状部と、この環状部と前記景品とを接続する接続部と、を有する景品保持部を、更に備えたことにある。
【００２１】
上記目的を達成するため、本考案に係る景品配置装置の第６の特徴は、前記接続部は、Ｓ字フックを有し、前記Ｓ字フックが前記環状部及び前記景品を掛止することにより前記環状部と前記景品とを接続することにある。
【００２２】
上記目的を達成するため、本考案に係る景品配置装置の第７の特徴は、前記接続部は、面ファスナーを有し、前記面ファスナーが前記環状部及び前記景品を緊止することにより前記環状部と前記景品とを接続することにある。
【考案の効果】
【００２３】
本考案に係る景品配置装置によれば、景品把持部の把持力を調整することなく、多種類の景品をクレーン遊技装置の景品収納部内に吊り下げ配置することができる。
【考案を実施するための最良の形態】
【００２４】
以下、本考案を実施するための最良の形態について図面を参照して説明する。
【実施例１】
【００２５】
本考案の実施例１では、クレーン遊技装置に適用され、玩具が内包された景品箱を景品収納部内に吊り下げ配置する景品配置装置を例に挙げて説明する。
【００２６】
＜景品配置装置１の構成＞
図１は、本考案の実施例１である景品配置装置が内部に設置されたクレーン遊技装置の斜視図である。
【００２７】
図１に示すように、クレーン遊技装置１００は、三方を透明板で囲まれた景品収納部１０１と、この景品収納部１０１内に設けられた景品把持部１０２ａ，１０２ｂと、この景品把持部１０２ａ，１０２ｂを景品収納部１０１内で所望位置に移動させるクレーン機構１０３と、景品収納部１０１内の底面に備えられたフロア部１０４とを備えている。
【００２８】
このフロア部１０４は、フロアパネルの組み替え式が採用されており、このフロアパネルを組み替えることで、任意の場所に景品排出口１０４ａ，１０４ｂを備えるようにすることができる。
【００２９】
そして、このフロア部１０４上に、景品配置装置１が設けられており、この景品配置装置１により、景品排出口１０４ａ，１０４ｂに、景品及び錘が吊り下げ配置されている。
【００３０】
景品収納部１０１の下方には、クレーン遊技装置１００内部の景品排出口１０４ａ，１０４ｂからそれぞれ連通する景品受取口１０５ａ，１０５ｂと、操作釦やコイン投入口等を有する操作部１０６とが設けられている。
【００３１】
クレーン機構１０３は、景品把持部１０２ａ，１０２ｂを吊り下げ支持するとともに前後，左右，及び上下の３方向に移動させる。
【００３２】
図２は、クレーン遊技装置１００に備えられた景品把持部１０２ａの射視図である。なお、景品把持部１０２ｂは、景品把持部１０２ａと同一の構成を有するので、説明を省略する。
【００３３】
図２に示すように、景品把持部１０２ａは、キャッチャー１０２ｃと、このキャッチャー１０２ｃに支持されたアーム１０２ｄとを備えている。
【００３４】
景品把持部１０２ａは、キャッチャー１０２ｃによりアーム１０２ｄが駆動され、アーム１０２ｄの先端部で、景品収納部１０１内に吊り下げられた錘を景品排出口１０４ａに落下させる。
【００３５】
図３は、本考案の実施例１である景品配置装置１の構成を示した平面図である。なお、クレーン遊技装置１００は、正面向かって左右対称の構成を有しており、フロア部１０４上には、左右対称にそれぞれ景品配置装置１が設置されているので、ここでは、クレーン遊技装置１００の左側部分に設置された景品配置装置１について説明する。
【００３６】
図３に示すように、本考案の実施例１である景品配置装置１は、景品収納部１０１のフロア部１０４上に固定された中空円筒形状の外筒１２を有し、この外筒１２の内側に嵌合され、外筒１２を貫く軸に対して略平行にスライド自在に配置された内筒１１を有している。
【００３７】
そして、景品Ａに接続された環状部が、内筒１１の一方の端部に引っ掛け止められる、即ち掛止されることにより、景品Ａが、景品排出口１０４ａ内に吊り下げ配置されている。
【００３８】
また、本考案の実施例１である景品配置装置１は、景品収納部１０１のフロア部１０４上にそれぞれ固定された中空円筒形状を有し、内筒１１の他方の端部に接続された伝達紐１３を誘導する第１のガイド筒１５、第２のガイド筒１７、及び第３のガイド筒１９を備えている。
【００３９】
さらに、景品配置装置１は、景品収納部１０１のフロア部１０４上であり、外筒１２と第１のガイド筒１５との間に略垂直方向を軸として回転自在に設けられ、外筒１２内部を通過する伝達紐１３を第１のガイド筒１５内部に通過させるように向きを変える第１の滑車１４を備えている。また、景品配置装置１は、第１のガイド筒１５と第２のガイド筒１７との間に、第１の滑車１４と同一構成の第２の滑車１６を備えており、第２のガイド筒１７と第３のガイド筒１９との間に、第１の滑車１４と同一構成の第３の滑車１８を備えている。
【００４０】
また、伝達紐１３は、外筒１２、第１の滑車１４、第１のガイド筒１５、第２の滑車１６、第２のガイド筒１７、第３の滑車１８、第３のガイド筒１９を介して、景品排出口１０４ａ内に吊り下げられた錘２０に接続されている。
【００４１】
図４は、本考案の実施例１である景品配置装置１の外筒１２周辺を示した斜視図である。
【００４２】
図４に示すように、外筒１２は、景品収納部１０１のフロア部１０４上に固定されており、この外筒１２の下部には、外筒１２を貫く軸に対して略平行に案内溝１２ａが設けられている。
【００４３】
そして、外筒１２に嵌合された内筒１１は、下部に、外筒１２の案内溝１２ａに滑合するように案内片１１ａが設けられている。
【００４４】
これにより、内筒１１は、一方の端部が外筒１２から露出した位置から、内筒１１全体が外筒１２の内部に収まる位置まで、外筒１２を貫く軸に対して略平行、即ちＹ方向にスライド自在に移動することができる。
【００４５】
また、内筒１１の一方の端部には、景品Ａに接続された環状部２１が掛止されている。
【００４６】
この環状部２１は、景品Ａを結び止める、即ち景品Ａを緊止する接続紐２３と接続されており、内筒１１が外筒１２から露出した位置において、景品Ａを吊り下げた状態で保持している。そして、内筒１１が、外筒１２から露出した位置から、内筒１１全体が外筒１２の内部に収まる位置までスライド移動することにより、この掛止された環状部２１が、内筒１１の一方の端部から外れ、景品Ａと共に景品排出口１０４ａ内に落下する。
【００４７】
なお、内筒１１の一方の端部に掛止された環状部２１と、この環状部２１及び景品Ａを接続する接続紐２３とを景品保持部３０という。
【００４８】
図５は、本考案の実施例１である景品配置装置１の錘２０周辺を示した斜視図である。
【００４９】
図５に示すように、第３のガイド筒１９は、景品収納部１０１のフロア部１０４上に固定されており、第３のガイド筒１９の一方の端部には、錘用環状部２２が掛止されている。
【００５０】
この錘用環状部２２は、リング形状を有しており、この錘用環状部２２と錘２０とは、紐で結ばれている。
【００５１】
また、第３のガイド筒１９の内部を通過するように配置された伝達紐１３は、錘２０に接続されている。
【００５２】
そして、利用者の操作により、景品収納部１０１内に設けられた景品把持部１０２ａのアーム１０２ｄが、第３のガイド筒１９に掛止された錘用環状部２２を外すことにより、この錘用環状部２２に接続された錘２０は、景品排出口１０４ａ内に落下する。
【００５３】
＜景品配置装置１の作用＞
次に、図１〜図５を用いて、本考案の実施例１である景品配置装置１の作用について説明する。本考案の実施例１では、一例として、クレーン遊技装置１００の左側部分に配置されている景品Ａを獲得する場合における作用について説明する。
【００５４】
利用者は、操作部１０６の操作釦を操作することにより落下させようとする錘２０に対してクレーン機構１０３を動作させて、景品把持部１０２ａが目標とする錘２０の真上に到着したと思われるとき操作釦の操作を停止させる。
【００５５】
その後、景品把持部１０２ａは自動的に降下し、この景品把持部１０２ａが第３のガイド筒１９に達すると景品把持部１０２ａのアーム１０２ｄが閉じる。そして、このアーム１０２ｄが閉じることにより、第３のガイド筒１９に掛止された錘用環状部２２が第３のガイド筒１９から外れ、錘２０が景品排出口１０４ａ内に落下する。
【００５６】
錘２０が景品排出口１０４ａに落下すると、この錘２０に一方の端部が接続された伝達紐１３は、他方の端部が接続された内筒１１を、外筒１２から露出した位置から外筒１２の内部に収まる位置まで移動させる。これにより、内筒１１の一方の端部に掛止された環状部２１が、内筒１１の一方の端部から外れ、景品Ａと共に景品排出口１０４ａ内に落下する。そして、この景品排出口１０４ａに連通された景品受取口１０５ａから景品Ａが払い出される。
【００５７】
景品Ａが払い出された後、クレーン遊技装置１００の運営者は、利用者がゲームを再開できるように、景品等を初期位置へセットし直す必要がある。具体的には、運営者は、錘２０が接続された錘用環状部２２を第３のガイド筒１９に掛止する。そして、運営者は、内筒１１の下部に設けられた案内片１１ａを摘んでスライドさせることにより、内筒１１を、外筒１２の内部に収まった位置から、一方の端部が外筒１２から露出した位置までスライド移動させる。そして、運営者は、外筒１２から露出した内筒１１の一方の端部に、新たな景品が接続された環状部２１を掛止させることにより、初期位置のセットが完了し、利用者は、ゲームを再開することができる。
【００５８】
以上のように、本考案の実施例１である景品配置装置１によれば、利用者の操作により、錘２０が景品排出口１０４ａに落下することにより、内筒１１の一方の端部に掛止された環状部２１が内筒１１の一方の端部から外れ、景品Ａが景品排出口１０４ａ内に落下する。そのため、運営者は、クレーン遊技装置１００に備えられた景品把持部１０２の把持する把持力を、景品の重量に係わらず、錘２０の重量に応じた最適値に設定しておけばよい。
【００５９】
これにより、クレーン遊技装置１００の景品収納部１０１内に吊り下げる景品の種類を変更する度に、運営者は、景品把持部１０２の把持力を景品の重量に応じて変更する必要がなくなる。
【００６０】
また、クレーン遊技装置１００の景品収納部１０１内に、様々な種類及び重量の景品を吊り下げることができるので、利用者は、そのバリエーションに富んだ景品を取得するゲームを楽しむことができる。
【００６１】
また、本考案の実施例１である景品配置装置１は、従来技術であるクレーン遊技装置のフロア部１０４上に設置することにより、そのままクレーン遊技装置に適用することができる。即ち、１セットとしてパッケージ化した景品配置装置１を、様々なクレーン遊技装置に適用することにより、クレーン遊技装置の改造を行うことなく、運営者は、景品配置装置１が適用されたクレーン遊技装置の運用を開始することができる。
【００６２】
そのため、新たにクレーン遊技装置を開発及び制作する必要がないので、開発及び製造費用の削減に寄与することができる。
【実施例２】
【００６３】
本考案の実施例１では、下部に案内溝が設けられた外筒１２と、下部に案内溝に滑合するように案内片が設けられた内筒１１とを備える景品配置装置１を例に挙げて説明した。
【００６４】
本考案の実施例２では、下部に案内溝が設けられた外筒と、円筒形状を有する内筒と、この内筒の一方の端部であり、かつ案内溝に滑合するように内筒の下部に接続されたガイド紐とを備えた景品配置装置１Ａを例に挙げて説明する。
【００６５】
図６は、本考案の実施例２である景品配置装置１Ａの外筒１２周辺を示した斜視図である。
【００６６】
図６に示すように、外筒１２は、景品収納部１０１のフロア部１０４上に固定されており、この外筒１２の下部には、外筒１２を貫く軸に対して略平行に案内溝１２ａが設けられている。
【００６７】
そして、内筒１１Ａは、外筒１２に嵌合して配置されており、下部には、案内溝に滑合するようにガイド紐２５が接続されている。このガイド紐２５の他方の端部は、フロア部１０４に接続されている。
【００６８】
これにより、内筒１１Ａは、一方の端部が外筒１２から露出した位置から、内筒１１Ａ全体が外筒１２の内部に収まる位置まで、外筒１２を貫く軸に対して略平行、即ちＹ方向にスライド自在に移動することができる。
【００６９】
また、内筒１１Ａの一方の端部には、リング形状を有した環状部２１Ａが掛止されておえり、この環状部２１Ａには、景品Ｂが接続されたＳ字フック２４が掛止されている。
【００７０】
これにより、環状部２１Ａは、内筒１１Ａが外筒１２から露出した位置において、景品Ｂを、景品収納部１０１内に吊り下げた状態で保持している。そして、内筒１１Ａが、外筒１２から露出した位置から、外筒１２の内部に収まる位置までスライド移動することにより、この掛止された環状部２１Ａが、内筒１１Ａの一方の端部から外れ、景品Ｂと共に景品排出口１０４ａ内に落下する。落下した景品Ｂは、この景品排出口１０４ａに連通された景品受取口１０５ａから払い出される。なお、内筒１１Ａの一方の端部に掛止された環状部２１Ａと、この環状部２１Ａ及び景品Ｂを接続するＳ字フック２４とを景品保持部３０Ａという。
【００７１】
景品Ｂが払い出された後、クレーン遊技装置１００の運営者は、利用者がゲームを再開できるように、景品等を初期位置へセットし直す必要がある。具体的には、運営者は、錘２０が接続された錘用環状部２２を第３のガイド筒１９に掛止する。そして、運営者は、内筒１１Ａの下部に設けられたガイド紐２５を摘んで、内筒１１Ａを、外筒１２の内部に収まった位置から、一方の端部が外筒１２から露出した位置までスライド移動させる。そして、運営者は、外筒１２から露出した内筒１１Ａの一方の端部に、新たな景品が接続された環状部２１Ａを掛止することにより、初期位置のセットが完了し、利用者は、ゲームを再開することができる。
【００７２】
以上のように、本考案の実施例２である景品配置装置１Ａによれば、初期位置への復旧の際、ガイド紐２５を摘んで、内筒１１Ａを、外筒１２の内部に収まった位置から、一方の端部が外筒１２から露出した位置までスライド移動させるので、本考案の実施例１である景品配置装置１による効果に加え、運営者は、より簡易に初期位置へ復旧させることができる。
【実施例３】
【００７３】
本考案の実施例２では、環状部２１Ａ及び景品Ｂに掛止して接続するＳ字フック２４を有する景品配置装置１Ａを例に挙げて説明した。
【００７４】
本考案の実施例３では、環状部と景品とを緊止することにより接続する面ファスナーを有する景品配置装置１Ｂを例に挙げて説明する。
【００７５】
図７は、本考案の実施例３である景品配置装置１Ｂの外筒１２周辺を示した斜視図である。
【００７６】
図７に示すように、外筒１２は、景品収納部１０１のフロア部１０４上に固定されており、この外筒１２の下部には、外筒１２を貫く軸に対して略平行に案内溝１２ａが設けられている。
【００７７】
そして、内筒１１Ａは、外筒１２に嵌合して配置されており、下部には、案内溝に滑合するようにガイド紐２５が接続されている。このガイド紐２５の他方の端部は、フロア部１０４に接続されている。
【００７８】
これにより、内筒１１Ａは、一方の端部が外筒１２から露出した位置から、内筒１１Ａ全体が外筒１２の内部に収まる位置まで、外筒１２を貫く軸に対して略平行、即ちＹ方向にスライド自在に移動することができる。
【００７９】
また、内筒１１Ａの一方の端部には、リング形状を有した環状部２１Ａが掛止されておえり、この環状部２１Ａには、面ファスナー２６により景品Ｃが緊止されている。
【００８０】
これにより、環状部２１Ａは、内筒１１Ａが外筒１２から露出した位置において、景品Ｂを、景品収納部１０１内に吊り下げた状態で保持している。そして、内筒１１Ａが、外筒１２から露出した位置から、外筒１２の内部に収まる位置までスライド移動することにより、この掛止された環状部２１Ａが、内筒１１Ａの一方の端部から外れ、景品Ｃと共に景品排出口１０４ａ内に落下する。落下した景品Ｃは、この景品排出口１０４ａに連通された景品受取口１０５ａから払い出される。なお、内筒１１Ａの一方の端部に掛止された環状部２１Ａと、この環状部２１Ａ及び景品Ｂを接続する面ファスナー２６とを景品保持部３０Ｂという。
【００８１】
景品Ｃが払い出された後、クレーン遊技装置１００の運営者は、利用者がゲームを再開できるように、景品等を初期位置へセットし直す必要がある。具体的には、運営者は、錘２０が接続された錘用環状部２２を第３のガイド筒１９に掛止する。そして、運営者は、内筒１１Ａの下部に設けられたガイド紐２５を摘んで、内筒１１Ａを、外筒１２の内部に収まった位置から、一方の端部が外筒１２から露出した位置までスライド移動させる。そして、運営者は、外筒１２から露出した内筒１１Ａの一方の端部に、新たに面ファスナー２６により景品Ｃと接続された環状部２１Ａを掛止することにより、初期位置のセットが完了し、利用者は、ゲームを再開することができる。
【００８２】
以上のように、本考案の実施例３である景品配置装置１Ｂによれば、初期位置への復旧の際、景品Ｃと環状部２１Ａとを面ファスナー２６により緊止するので、本考案の実施例１である景品配置装置１Ａによる効果に加え、運営者は、より簡易に初期位置へ復旧させることができる。
【図面の簡単な説明】
【００８３】
【図１】本考案の実施例１である景品配置装置が内部に配置されたクレーン遊技装置の斜視図である。
【図２】本考案の実施例１である景品配置装置が適用されたクレーン遊技装置に備えられた景品把持部の射視図である。
【図３】本考案の実施例１である景品配置装置の構成を示した平面図である。
【図４】本考案の実施例１である景品配置装置の外筒周辺を示した斜視図である。
【図５】本考案の実施例１である景品配置装置の錘周辺を示した斜視図である。
【図６】本考案の実施例２である景品配置装置の外筒周辺を示した斜視図である。
【図７】本考案の実施例３である景品配置装置の外筒周辺を示した斜視図である。
【符号の説明】
【００８４】
１，１Ａ，１Ｂ…景品配置装置
１１，１１Ａ…内筒
１１ａ…案内片
１２…外筒
１２ａ…案内溝
１３…伝達紐
１４…第１の滑車
１５…第１のガイド筒
１６…第２の滑車
１７…第２のガイド筒
１８…第３の滑車
１９…第３のガイド筒
２０…錘
２１，２１Ａ…環状部
２２…錘用環状部
２３…接続紐
２４…Ｓ字フック
２５…ガイド紐
２６…面ファスナー
３０，３０Ａ，３０Ｂ…景品保持部
１００…クレーン遊技装置
【図１】
0003147529.tif 000003
【図２】
0003147529.tif 000004
【図３】
0003147529.tif 000005
【図４】
0003147529.tif 000006
【図５】
0003147529.tif 000007
【図６】
0003147529.tif 000008
【図７】
0003147529.tif 000009